(57)【要約】【課題】              テレビ電話機能を用いる際のカメラ写りを改善しつつ、コスト低減、ダウンサイジングを実現すること。【解決手段】          携帯電話機１において、筐体の正面側であって表示部１２と操作部１３の間に配設されたカメラ部１１と、少なくとも筐体を上下反転させたときにカメラ部１１で撮影された画像情報を上下反転処理させることが可能な画像処理部１４と、少なくとも筐体を上下反転させたときに表示部１２で表示されることになる表示情報を上下反転処理させることが可能な表示処理部１５と、を備える【選択図】            図２
2006197404.tif 000002
【特許請求の範囲】
【請求項１】
筐体の正面側であって表示部と操作部の間に配設されたカメラ部と、
少なくとも前記筐体を上下反転させたときに前記カメラ部で撮影された画像情報を上下反転処理させることが可能な画像処理部と、
少なくとも前記筐体を上下反転させたときに前記表示部で表示されることになる表示情報を上下反転処理させることが可能な表示処理部と、
を備えることを特徴とする携帯電話機。
【請求項２】
前記筐体は、上部筐体と下部筐体とが連結部にて連結された折畳型の筐体であり、
前記上部筐体には前記表示部が配設されており、
前記下部筐体には前記操作部が配設されており、
前記カメラ部は、前記連結部に配設されていることを特徴とする請求項１記載の携帯電話機。
【請求項３】
前記筐体は、上部筐体と下部筐体とが連結部にて連結された折畳型の筐体であり、
前記上部筐体には前記表示部が配設されており、
前記下部筐体には前記操作部が配設されており、
前記カメラ部は、前記連結部の近傍の前記上部筐体又は前記下部筐体に配設されたことを特徴とする請求項１記載の携帯電話機。
【請求項４】
前記連結部は、ヒンジ部であることを特徴とする請求項２又は３記載の携帯電話機。
【請求項５】
前記カメラ部は、前記筐体の背面側にも向けられるように回動自在に配設されることを特徴とする請求項１乃至４のいずれか一に記載の携帯電話機。
【請求項６】
前記操作部で前記画像情報及び前記表示情報に係る上下反転のためのキー操作が行われることにより、前記画像処理部にて前記画像情報を上下反転させるように制御するとともに、前記表示処理部にて前記表示情報を上下反転させるように制御する制御部を備えることを特徴とする請求項１乃至５のいずれか一に記載の携帯電話機。
【請求項７】
前記筐体に係る重力の方向を検出する重力方向検出部と、
前記重力方向検出部で検出された前記筐体に係る方向に基づいて、前記画像処理部にて前記画像情報を上下反転させるように制御するとともに、前記表示処理部にて前記表示情報を上下反転させるように制御する制御部と、
を備えることを特徴とする請求項１乃至５のいずれか一に記載の携帯電話機。
【請求項８】
前記カメラ部が撮影する方向を検出するカメラ方向検出部を備え、
前記制御部は、前記カメラ方向検出部で検出された前記カメラ部の方向に基づいて、前記画像処理部にて前記画像情報を上下反転させるように制御することを特徴とする請求項６又は７記載の携帯電話機。
【請求項９】
前記筐体の正面側であって前記表示部と前記操作部の間に配設されたマイク部と、
前記筐体の正面側であって前記表示部よりも前記筐体の先端部近傍に配設された第１のスピーカ部と、
前記筐体の正面側であって前記操作部よりも前記筐体の先端部近傍に配設された第２のスピーカ部と、
少なくとも前記筐体を上下反転させたときに前記第１のスピーカ部及び前記第２のスピーカ部のいずれか一方から音声が出力されるように上下反転処理させることが可能な音声処理部と、
を備えることを特徴とする請求項１乃至８のいずれか一に記載の携帯電話機。
【請求項１０】
前記筐体の正面側であって前記操作部よりも前記筐体の先端部近傍に配設された第１のマイク部と、
前記筐体の正面側であって前記表示部よりも前記筐体の先端部近傍に配設された第２のマイク部と、
前記筐体の正面側であって前記表示部よりも前記筐体の先端部近傍に配設された第１のスピーカ部と、
前記筐体の正面側であって前記操作部よりも前記筐体の先端部近傍に配設された第２のスピーカ部と、
少なくとも前記筐体を上下反転させたときに、前記第１のマイク部及び前記第１のスピーカ部の組み合わせ、並びに、前記第２のマイク部及び前記第２のスピーカ部の組み合わせのいずれか一方の組み合わせから音声が入出力されるように上下反転処理させることが可能な音声処理部と、
を備えることを特徴とする請求項１乃至８のいずれか一に記載の携帯電話機。
【発明の詳細な説明】
【技術分野】
【０００１】
本発明は、カメラを内蔵した携帯電話機に関し、特に、テレビ電話機能を用いる際のカメラ写りを改善することができる携帯電話機に関する。
【背景技術】
【０００２】
近年の携帯電話機においては、通話という基本機能に加え、電子メールやインターネットブラウズ機能、およびカメラ機能を備えたものが多くなってきた。また、最近の携帯電話機においては、テレビ電話機能を備えたものも商品化されており、カメラの重要性が高まっている。カメラを内蔵した折畳型携帯電話機において、カメラをヒンジ部に格納したものが多い。このような携帯電話機によれば、開状態の筐体の長手方向の全体の長さを短くすることができ、カメラの回動機構とヒンジ部の回動機構と共有させることができる。
【０００３】
【特許文献１】特開２００４−１６６１５９号公報
【特許文献２】特開２００１−１８６５０１号公報
【特許文献３】特開２００３−３７７５９号公報
【特許文献４】特開２００４−２１４９２５号公報
【特許文献５】特開平７−１６２７２５号公報
【発明の開示】
【発明が解決しようとする課題】
【０００４】
ヒンジ部にカメラを格納した折畳型携帯電話機では、テレビ電話機能を用いる際、使用者は、通常、本体を手で持って画面を見る体勢で用いることになるが、そうすると、使用者の顔をカメラが下から見上げる形で撮影することになるため、鼻の穴が目立ったり、顔の下部が大きく写ったり、相手方の携帯電話機の画面に映る姿が相手を見下ろす視線になったりする等の問題点があり、特に女性に不人気であった。そのため、従来の折畳型携帯電話機では、２つのカメラを内向き（正面側）と外向き（背面側）に内蔵し、内向きのカメラを画面（ＬＣＤ）の上部に格納することによって、前記問題点の解決を図ることができる（例えば、特許文献１参照）。
【０００５】
しかしながら、２つのカメラを内蔵する折畳型携帯電話機は、カメラが１つ増える分コストアップとなる。また、２つのカメラを内蔵する折畳型携帯電話機は、ヒンジ部にカメラを格納する折畳型携帯電話機に比べると、筐体の長手方向の長さが長くなるという問題点があった。
【０００６】
本発明の課題は、テレビ電話機能を用いる際のカメラ写りを改善しつつ、コスト低減、ダウンサイジングを実現することである。
【課題を解決するための手段】
【０００７】
本発明においては、携帯電話機において、筐体の正面側であって表示部と操作部の間に配設されたカメラ部と、少なくとも前記筐体を上下反転させたときに前記カメラ部で撮影された画像情報を上下反転処理させることが可能な画像処理部と、少なくとも前記筐体を上下反転させたときに前記表示部で表示されることになる表示情報を上下反転処理させることが可能な表示処理部と、を備えることを特徴とする。
【０００８】
また、本発明の前記携帯電話機において、前記筐体の正面側であって前記表示部と前記操作部の間に配設されたマイク部と、前記筐体の正面側であって前記表示部よりも前記筐体の先端部近傍に配設された第１のスピーカ部と、前記筐体の正面側であって前記操作部よりも前記筐体の先端部近傍に配設された第２のスピーカ部と、少なくとも前記筐体を上下反転させたときに前記第１のスピーカ部及び前記第２のスピーカ部のいずれか一方から音声が出力されるように上下反転処理させることが可能な音声処理部と、を備えることが好ましい。
【０００９】
また、本発明の前記携帯電話機において、前記筐体の正面側であって前記操作部よりも前記筐体の先端部近傍に配設された第１のマイク部と、前記筐体の正面側であって前記表示部よりも前記筐体の先端部近傍に配設された第２のマイク部と、前記筐体の正面側であって前記表示部よりも前記筐体の先端部近傍に配設された第１のスピーカ部と、前記筐体の正面側であって前記操作部よりも前記筐体の先端部近傍に配設された第２のスピーカ部と、少なくとも前記筐体を上下反転させたときに、前記第１のマイク部及び前記第１のスピーカ部の組み合わせ、並びに、前期第２のマイク部及び前記第２のスピーカ部の組み合わせのいずれか一方の組み合わせから音声が入出力されるように上下反転処理させることが可能な音声処理部と、を備えることが好ましい。
【発明の効果】
【００１０】
本発明（請求項１−１０）によれば、画像処理部及び表示処理部に上下反転機能を設けることにより、携帯電話機を上下さかさま（操作部を下側とし表示部を上側にした状態から操作部を上側とし表示部を下側にした状態）に持ってテレビ電話機能やカメラ機能を用いる際、携帯電話機を上下さかさまにしたときにカメラ部を表示部より上側に位置することができるので、カメラ部で撮影された画像情報が使用者の顔を見下ろす角度あるいは同じ高さから撮影したものになり、鼻の穴が目立たない、あるいは下膨れした顔に写らないといった効果がある。
【００１１】
本発明（請求項６）によれば、ハード的な部品追加をしなくても上下反転機能を操作することができるので、コストがほとんどかからない。
【００１２】
本発明（請求項８、９）によれば、上下反転機能により、テレビ電話使用時に上下さかさま（表示部が操作部よりも下部にした状態）に持ってハンズフリー通話を行う時に、スピーカ部はマイク部よりも上部に位置し、耳に近いため聞きやすくなる。また、マイク部は口に近い位置となり、より鮮明に音声を拾うことができる。また、スピーカ部とマイク部の距離が離れているため、ハウリングを防ぐためのエコーキャンセラの設計がしやすくなるという効果も期待できる。
【発明を実施するための最良の形態】
【００１３】
（実施形態１）
本発明の実施形態１に係る携帯電話機について図面を用いて説明する。図１は、本発明の実施形態１に係る携帯電話機の外観構成を模式的に示した正面図である。図２は、本発明の実施形態１に係る携帯電話機の内部構成を模式的に示したブロック図である。
【００１４】
携帯電話機１は、上部筐体２と下部筐体３が連結部４を介して開閉可能に連結された折畳型携帯電話機である。ここでの携帯電話機１は、上部筐体２と下部筐体３とヒンジ部により折り畳み可能な折畳型携帯電話機であるが、上部筐体２がヒンジ部の周りに回転する回転型、上部筐体２又は下部筐体３がスライドするスライド型、折畳、回転、スライド等の機構部のない一体型のもの等を用いてもよい。携帯電話機１は、カメラ部１１と、表示部１２と、操作部１３と、画像処理部１４と、表示処理部１５と、通信処理部１６と、アンテナ部１７と、制御部１８と、を備える。携帯電話機１は、手動切替により画像情報や表示情報を上下反転させる上下反転機能を有する。
【００１５】
カメラ部１１は、連結部４に回動自在に配設されており（図１参照）、被写体の画像を取得（撮影）する。カメラ部１１は、回動させることで筐体（上部筐体２、下部筐体３）の正面側（表示部１２、操作部１３が配設された側）及び背面側の一方に向けて撮影することができる。カメラ部１１は、画像処理部１４と電気的に接続されており、撮影した画像情報（動画、静止画に係る情報）を画像処理部１４に向けて出力する（図２参照）。なお、カメラ部１１は、連結部４に配設されるだけでなく、連結部４の近傍の上部筐体２又は下部筐体３に配設されるようにしてもよい。
【００１６】
表示部１２は、上部筐体２の正面側に配設されており（図１参照）、例えば、ＬＣＤ、有機ＥＬなどの表示装置で構成される。表示部１２は、表示処理部１５と電気的に接続されており、表示処理部１５から出力された表示情報（画像情報、文字、アイコン、時刻、メニュー、バッテリー残量、電波状況、上下反転切替メニュー等などの各種表示情報）を表示する（図２参照）。なお、上下反転メニューは、表示部１２で表示される表示情報の上下反転機能のＯＮ／ＯＦＦ切替を行う際の押下するための（操作部１３の）キーを規定したメニューである。
【００１７】
操作部１３は、下部筐体３の正面側ないし側端面に配設された各種情報を操作入力する部分であり、決定ボタン、テンキーボタン、サイドボタン等を有する（図１参照）。操作部１３は、制御部１８と電気的に接続されており、操作入力された情報を制御部１８に向けて出力する（図２参照）。操作部１３は、上下反転メニューに従って、表示部１２で表示される表示情報を上下反転機能の切替を行う際の押下にかかるキーとなる。
【００１８】
画像処理部１４は、カメラ部１１及び制御部１８と電気的に接続されており、カメラ部１１から出力された画像情報を取得することにより、当該画像情報の画像信号処理を行い、画像信号処理された画像情報を制御部１８に向けて出力する（図２参照）。画像処理部１４は、制御部１８からの上下反転命令を受けたときは、画像情報の画像信号処理の際、画像情報の上下反転処理を行う。一方、画像処理部１４は、初期状態のとき、又は、制御部１８からの上下反転解除命令を受けたときは、画像情報の画像信号処理の際、画像情報の上下反転処理を行わない。
【００１９】
表示処理部１５は、表示部１２及び制御部１８と電気的に接続されており、制御部１８から出力された画像情報、文字、アイコン、操作メニュー、バッテリー残量、電波状況等などの各種情報を取得することにより、当該各種情報の表示信号処理（表示情報の生成）を行い、表示信号処理された表示情報を表示部１２に向けて出力する（図２参照）。表示処理部１５は、制御部１８からの上下反転命令を受けたときは、各種情報の表示信号処理の際、表示情報の上下反転処理を行う。一方、表示処理部１５は、初期状態のとき、又は、制御部１８からの上下反転解除命令を受けたときは、各種情報の表示信号処理の際、表示情報の上下反転処理を行わない。
【００２０】
通信処理部１６は、アンテナ部１７及び制御部１８と電気的に接続されており、アンテナ部１７を介して無線基地局（図示せず）との間で通信信号（画像情報、音声情報、文字情報等）の送受信処理を行う（図２参照）。
【００２１】
制御部１８は、操作部１３、画像処理部１４、表示処理部１５、及び通信処理部１６と電気的に接続されており、電話機能（着信検出などを含む）、メール機能、ｗｅｂ接続（インターネット接続）機能、電波強度検出機能、電池残量検出機能、時計機能、カメラ機能、上下反転機能等の各種機能に対応する各機能部１１〜１６の動作を制御する（図２参照）。制御部１８は、電話帳情報、送受信メール情報、発着呼情報、携帯電話機の各種設定、コンテンツ情報（動画、静止画、楽音など）、アプリケーション（プログラム）情報などが格納されている。制御部１８は、表示部１２で上下反転メニューが表示されている際に、操作部１３の所定のキーの押下により上下反転機能がＯＮになったときに画像処理部１４及び表示処理部１５に上下反転命令を出し、操作部１３の所定のキーの押下により上下反転機能がＯＦＦになったときに画像処理部１４及び表示処理部１５に上下反転解除命令を出す。
【００２２】
なお、画像処理部１４、表示処理部１５、通信処理部１６、及び制御部１８は、ＣＰＵ（中央演算処理装置）とメモリ（図示せず）を使用して、ソフトウェア処理と組み合わせて実現することも可能である。
【００２３】
次に、本発明の実施形態１に係る携帯電話機の使用態様について図面を用いて説明する。図３は、本発明の実施形態１に係る携帯電話機の上下反転機能をＯＮにしたときの使用態様を示した模式図である。図４は、本発明の実施形態１に係る携帯電話機の上下反転機能をＯＦＦにしたときの使用態様を示した模式図である。なお、ここでは、携帯電話機１のカメラ部１１が正面側（表示部１２、操作部１３が配された側）に向いているものとする。図３を参照すると、カメラ部１１が表示部１２の上側にくる状態で携帯電話機１を用いると、カメラ部１１が顔を上から見下ろす角度になる。図４を参照すると、カメラ部１１が表示部１２の下側にくる状態で携帯電話機１を用いると、カメラ部１１が顔を下から見上げる角度になる。
【００２４】
次に、本発明の実施形態１に係る携帯電話機の内部処理（主に画像処理部１４及び表示処理部１５）及び外観（表示状態）について図面を用いて説明する。図５及び図６は、本発明の実施形態１に係る携帯電話機の筐体の向き、及び表示状態を説明するための模式図である。
【００２５】
カメラ機能及びテレビ電話機能を使用しない場合（例えば、待受時）は、カメラ部１１や筐体の向きにかかわらず、表示処理部１５は、表示情報（バッテリー残量、電波状況、時刻等）を上下反転しないまま（順方向のまま）表示部１２に出力する。このときの携帯電話機１の筐体の向き、及び表示状態を図５（Ａ）に示す。なお、このときの画像処理部１４は、カメラ機能及びテレビ電話機能を使用していないので停止している。
【００２６】
表示部１２が操作部１３よりも上側にくるように筐体を配置した状態で、カメラ部１１を正面側（表示部１２、操作部１３が配された側）に向けて使用する場合（カメラ機能、テレビ電話機能を使用する場合を含む）は、画像処理部１４は画像情報を上下反転しないまま（順方向のまま）制御部１８に出力し、表示処理部１５は表示情報を上下反転しないまま（順方向のまま）表示部１２に出力する。このときの携帯電話機１の表示状態を図５（Ｂ）に示す。
【００２７】
表示部１２が操作部１３よりも上側にくるように筐体を配置した状態で、カメラ部１１を背面側に向けて使用する場合（カメラ機能、テレビ電話機能を使用する場合を含む）は、使用者が画像に係る上下反転のための操作部１３のキー操作を行うことにより、画像処理部１４は画像情報を上下反転して制御部１８に出力し、表示処理部１５は表示情報を上下反転しないまま（順方向のまま）表示部１２に出力する。このときの携帯電話機１の表示状態を図５（Ｃ）に示す。
【００２８】
表示部１２が操作部１３よりも下側にくるように筐体を回転させた配置した状態で、カメラ部１１を正面側（表示部１２、操作部１３が配された側）に向けて用いる場合は、使用者が画像及び表示に係る上下反転のための操作部１３のキー操作を行うことにより、画像処理部１４は画像情報を上下反転して制御部１８に出力し、表示処理部１５は表示情報を上下反転して表示部１２に出力する。これにより、表示部１２は、相手方の携帯電話機（図示せず）から送られてきた画像情報を含む表示情報を上下反転した状態で表示させることができる。このときの携帯電話機１の表示状態を図６（Ａ）に示す。また、通信処理部１６は、自己方の携帯電話機１のカメラ部１１で撮影した画像情報を上下反転した状態で相手方の携帯電話機（図示せず）に送信することになる。これにより、使用者は、鼻の穴が目立たず、かつ、下膨れしない自己の顔を撮影した画像情報を、相手方の携帯電話機に送信することができる。
【００２９】
表示部１２が操作部１３よりも下側にくるように筐体を回転させた配置した状態で、カメラ部１１を背面側に向けて用いる場合は、使用者が表示に係る上下反転のための操作部１３のキー操作を行うことにより、表示処理部１５は表示情報を上下反転して表示部１２に出力し、画像処理部１４は画像情報を上下反転しないで制御部１８に出力する。これにより、表示部１２は、相手方の携帯電話機（図示せず）から送られてきた画像情報を含む表示情報を上下反転した状態で表示させることができる。このときの携帯電話機１の筐体の向き、及び表示状態は、図６（Ｂ）に示す。また、通信処理部１６は、自己方の携帯電話機１のカメラ部１１で撮影した画像情報を上下反転しない状態で相手方の携帯電話機（図示せず）に送信することになる。これにより、使用者の目線に沿った位置から撮影した画像情報を、相手方の携帯電話機に送信することができる。
【００３０】
以上の携帯電話機１の構成では、画像及び表示に係る上下反転を操作部１３のキー操作（手動操作）によって行っているが、画像及び表示の一方又は両方に係る上下反転を自動的に行うようにしてもよい。例えば、画像に係る上下反転を自動的に行う手段として、キー操作の代わりに、カメラ部１１の向きを検出するカメラ方向検出部２１を制御部１８に電気的に接続して、カメラ方向検出部２１で検出されたカメラ部１１の向き（正面側か背面側か）に応じて制御部１８が画像処理部１４での上下反転機能を自動操作する（図７参照）。また、表示に係る上下反転を自動的に行う手段として、キー操作の代わりに、携帯電話機１本体の重力方向を検出する重力方向検出部２２を制御部１８に電気的に接続して、重力方向検出部２２で検出された携帯電話機１本体の重力方向（表示部１２が操作部１３より上側か下側か）に応じて制御部１８が画像処理部１４での上下反転機能を自動操作する（図７参照）。
【００３１】
実施形態１によれば、画像処理部１４及び表示処理部１５に上下反転機能を設けることにより、携帯電話機１本体を上下さかさま（表示部１２を下側とし操作部１３を上側とした状態）に持って使用できる。これにより、ヒンジ部４に内蔵されたカメラ部１１が表示部１２より上側に位置するため、使用者の顔を見下ろす角度あるいは同じ高さから撮影することになるので、鼻の穴が目立たない、下膨れした顔に写らないといった効果がある。
【００３２】
（実施形態２）
次に、本発明の実施形態２に係る携帯電話機について図面を用いて説明する。図８は、本発明の実施形態２に係る携帯電話機の外観構成を模式的に示した正面図である。図９は、本発明の実施形態２に係る携帯電話機の内部構成を模式的に示したブロック図である。
【００３３】
実施形態２に係る携帯電話機１は、実施形態１に係る携帯電話機の構成部１１〜１８（図１、２参照）に加えて、マイク部３１と、第１のスピーカ部３２と、第２のスピーカ部３３と、音声処理部３４と、を有する。実施形態２に係る携帯電話機１は、手動操作により、画像情報及び表示情報を上下反転させることに加え、音声情報が出力される位置を上下反転させる上下反転機能を有する。なお、上下反転機能は、手動操作する構成だけでなく、図７の携帯電話機のようにカメラ方向検出部２１や重力方向検出部２２によって自動操作できる構成であってもよい。
【００３４】
マイク部３１は、上部筐体２の正面側であって連結部４の近傍に配設されている（図８参照）。なお、マイク部３１は、下部筐体３の正面側であって連結部４の近傍に配設されていてもよい。マイク部３１は、音声処理部３４と電気的に接続されており、音声を音声信号に変換し、音声処理部３４に向けて音声信号を出力する（図９参照）。
【００３５】
第１のスピーカ部３２は、上部筐体２の正面側であって連結部４の反対側の先端部近傍に配設されている（図８参照）。第１のスピーカ部３２は、音声処理部３４と電気的に接続されており、音声処理部３４から出力された音声信号を音声に変換して出力する。
【００３６】
第２のスピーカ部３３は、下部筐体３の正面側であって連結部４の反対側の先端部近傍に配設されている（図８参照）。第２のスピーカ部３３は、音声処理部３４と電気的に接続されており、音声処理部３４から出力された音声信号を音声に変換して出力する（図９参照）。
【００３７】
音声処理部３４は、マイク部３１、第１のスピーカ部３２、第２のスピーカ部３３及び制御部１８と電気的に接続されており、制御部１８からの音声信号を第１のスピーカ部３２又は第２のスピーカ部３３に向けて選択的に出力し、マイク部３１からの音声信号を制御部１８に向けて出力する（図９参照）。音声処理部３４は、制御部１８からの上下反転命令を受けたときは、第２のスピーカ部３３から音声出力するように処理する。一方、音声処理部３４は、初期状態のとき、又は、制御部１８からの上下反転解除命令を受けたときは、第１のスピーカ部３２から音声出力するように処理する。なお、音声処理部３４は、上下反転命令及び上下反転解除命令にかかわらず、マイク部３１からの音声信号を取得する。
【００３８】
制御部１８は、表示部１２で上下反転メニューが表示されている際に、操作部１３の所定のキーの押下により上下反転機能がＯＮになったときに画像処理部１４、表示処理部１５及び音声処理部３４に上下反転命令を出し、操作部１３の所定のキーの押下により画像処理部１４、表示処理部１５及び音声処理部３４に上下反転機能がＯＦＦになったときに上下反転解除命令を出す（図９参照）。
【００３９】
なお、画像処理部１４、表示処理部１５、通信処理部１６、音声処理部３４、及び制御部１８は、ＣＰＵ（中央演算処理装置）とメモリ（図示せず）を使用して、ソフトウェア処理と組み合わせて実現することも可能である。
【００４０】
次に、本発明の実施形態２に係る携帯電話機の外観態様及び内部処理（主に音声処理部３４）について図面を用いて説明する。図１０は、本発明の実施形態２に係る携帯電話機の非上下反転時の（Ａ）外観態様、及び（Ｂ）内部処理を説明するための模式図である。図１１は、本発明の実施形態２に係る携帯電話機の上下反転時の（Ａ）外観態様、及び（Ｂ）内部処理を説明するための模式図である。実施形態２に係る携帯電話機の動作では、実施形態１に係る携帯電話機の動作と同様な動作に加えて、以下のような動作が行われる。
【００４１】
通常の音声通話のときは、表示部１２が操作部１３よりも上側にくるように筐体が配置されることになるので、音声処理部３４は、音声信号を第１のスピーカ部３２に出力する。そして、第１のスピーカ部３２から音声が出力し、第１のスピーカ部３２に耳をあてて使用する。
【００４２】
テレビ電話のときであって、表示部１２が操作部１３よりも上側にくるように筐体が配置されるときは、音声処理部３４は、音声信号を第１のスピーカ部３２に出力する（図１０参照）。そして、第１のスピーカ部３２から音声が出力する。
【００４３】
テレビ電話のときであって、表示部１２が操作部１３よりも下側にくるように筐体が配置されるときは、使用者が表示に係る上下反転のための操作部１３のキー操作を行うことにより、音声処理部３４は、音声信号を第２のスピーカ部３３に出力する（図１１参照）。そして、第２のスピーカ部３３から音声が出力する。
【００４４】
実施形態２によれば、上下反転機能により、テレビ電話時に表示部１２が操作部１３よりも下側にくるように筐体を持ってハンズフリー通話を行う際、第２のスピーカ部３３はマイク部３１よりも上側に位置することになるので、第２のスピーカ部３３が耳に近くなり音声が聞きやすくなる。また、マイク部３１は口に近い位置となり、より鮮明に音声を拾える。また、第１のスピーカ部３２及び第２のスピーカ部３３とマイク部３１との距離が離れているため、ハウリングを防ぐためのエコーキャンセラの設計がしやすくなるという効果も期待できる。
【００４５】
（実施形態３）
次に、本発明の実施形態３に係る携帯電話機について図面を用いて説明する。図１２は、本発明の実施形態３に係る携帯電話機の外観構成を模式的に示した正面図である。図１３は、本発明の実施形態３に係る携帯電話機の内部構成を模式的に示したブロック図である。
【００４６】
実施形態３に係る携帯電話機１は、実施形態１に係る携帯電話機の構成部１１〜１８（図１、２参照）に加えて、第１のマイク部４１と、第２のマイク部４２と、第１のスピーカ部４３と、第２のスピーカ部４４と、音声処理部４５と、を有する。実施形態３に係る携帯電話機１は、手動操作により、画像情報及び表示情報を上下反転させることに加え、音声の出力及び入力させる位置を上下反転させる上下反転機能を有する。なお、上下反転機能は、手動操作する構成だけでなく、図７の携帯電話機のようにカメラ方向検出部２１や重力方向検出部２２によって自動操作できる構成であってもよい。
【００４７】
第１のマイク部４１は、下部筐体３の正面側であって連結部４の反対側の先端部近傍に配設されている（図１２参照）。第１のマイク部４１は、音声処理部４５と電気的に接続されており、音声を音声信号に変換し、音声処理部４５に向けて音声信号を出力する（図１３参照）。
【００４８】
第２のマイク部４２は、上部筐体２の正面側であって連結部４の反対側の先端部近傍に配設されている（図１２参照）。第２のマイク部４２は、音声処理部４５と電気的に接続されており、音声を音声信号に変換し、音声処理部４５に向けて音声信号を出力する（図１３参照）。
【００４９】
第１のスピーカ部４３は、上部筐体２の正面側であって連結部４の反対側の先端部近傍に配設されている（図１２参照）。第１のスピーカ部４３は、音声処理部４５と電気的に接続されており、音声処理部４５から出力された音声信号を音声に変換して出力する（図１３参照）。
【００５０】
第２のスピーカ部４４は、下部筐体３の正面側であって連結部４の反対側の先端部近傍に配設されている（図１２参照）。第２のスピーカ部４４は、音声処理部４５と電気的に接続されており、音声処理部４５から出力された音声信号を音声に変換して出力する（図１３参照）。
【００５１】
音声処理部４５は、第１のマイク部４１、第２のマイク部４２、第１のスピーカ部４３、第２のスピーカ部４４及び制御部１８と電気的に接続されており、制御部１８からの音声信号を第１のスピーカ部４３又は第２のスピーカ部４４に向けて選択的に出力し、第１のマイク部４１又は第２のマイク部４２からの音声信号を制御部１８に向けて選択的に出力する（図１３参照）。音声処理部４５は、制御部１８からの上下反転命令を受けたときは、第２のスピーカ部４４から音声出力され、かつ、第２のマイク部４２から音声入力されるように処理する。一方、音声処理部４５は、初期状態のとき、又は、制御部１８からの上下反転解除命令を受けたときは、第１のスピーカ部４３から出力され、かつ、第１のマイク部４１から音声入力されるように処理する。
【００５２】
制御部１８は、表示部１２で上下反転メニューが表示されている際に、操作部１３の所定のキーの押下により上下反転機能がＯＮになったときに画像処理部１４、表示処理部１５及び音声処理部４５に上下反転命令を出し、操作部１３の所定のキーの押下により画像処理部１４、表示処理部１５及び音声処理部４５に上下反転機能がＯＦＦになったときに上下反転解除命令を出す（図１３参照）。
【００５３】
なお、画像処理部１４、表示処理部１５、通信処理部１６、音声処理部４５、及び制御部１８は、ＣＰＵ（中央演算処理装置）とメモリ（図示せず）を使用して、ソフトウェア処理と組み合わせて実現することも可能である。
【００５４】
次に、本発明の実施形態３に係る携帯電話機の外観態様及び内部処理（主に音声処理部４５）について図面を用いて説明する。図１４は、本発明の実施形態３に係る携帯電話機の非上下反転時の（Ａ）外観態様、及び（Ｂ）内部処理を説明するための模式図である。図１５は、本発明の実施形態３に係る携帯電話機の上下反転時の（Ａ）外観態様、及び（Ｂ）内部処理を説明するための模式図である。実施形態３に係る携帯電話機の動作では、実施形態１に係る携帯電話機の動作と同様な動作に加えて、以下のような動作が行われる。
【００５５】
通常の音声通話のときは、表示部１２が操作部１３よりも上側にくるように筐体が配置されることになるので、音声処理部４５は、第１のスピーカ部４３に音声信号を出力し、かつ、第１のマイク部４１からの音声信号を取得する。
【００５６】
テレビ電話のときであって、表示部１２が操作部１３よりも上側にくるように筐体が配置されるときは、音声処理部４５は、第１のスピーカ部４３に音声信号を出力し、かつ、第１のマイク部４１からの音声信号を取得する（図１４参照）。
【００５７】
テレビ電話のときであって、表示部１２が操作部１３よりも下側にくるように筐体が配置されるときは、使用者が表示に係る上下反転のための操作部１３のキー操作を行うことにより、音声処理部４５は、第２のスピーカ部４４に音声信号を出力し、かつ、第２のマイク部４２からの音声信号を取得する（図１５参照）。
【００５８】
実施形態３によれば、上下反転機能により、テレビ電話時に表示部１２が操作部１３よりも下側にくるように筐体を持ってハンズフリー通話を行う際、第２のスピーカ部４４は第２のマイク部４２よりも上側に位置することになるので、第２のスピーカ部４４が耳に近くなり音声が聞きやすくなる。また、第２のマイク部４２は口に近い位置となり、より鮮明に音声を拾える。
【図面の簡単な説明】
【００５９】
【図１】本発明の実施形態１に係る携帯電話機の外観構成を模式的に示した正面図である。
【図２】本発明の実施形態１に係る携帯電話機の内部構成を模式的に示したブロック図である。
【図３】本発明の実施形態１に係る携帯電話機の上下反転機能をＯＮにしたときの使用態様を示した模式図である。
【図４】本発明の実施形態１に係る携帯電話機の上下反転機能をＯＦＦにしたときの使用態様を示した模式図である。
【図５】本発明の実施形態１に係る携帯電話機の筐体の向き、及び表示状態を説明するための第１の模式図である。
【図６】本発明の実施形態１に係る携帯電話機の筐体の向き、及び表示状態を説明するための第２の模式図である。
【図７】本発明の実施形態１に係る携帯電話機の内部構成の変形例を模式的に示したブロック図である。
【図８】本発明の実施形態２に係る携帯電話機の外観構成を模式的に示した正面図である。
【図９】本発明の実施形態２に係る携帯電話機の内部構成を模式的に示したブロック図である。
【図１０】本発明の実施形態２に係る携帯電話機の非上下反転時の（Ａ）外観態様、及び（Ｂ）内部処理を説明するための模式図である。
【図１１】本発明の実施形態２に係る携帯電話機の上下反転時の（Ａ）外観態様、及び（Ｂ）内部処理を説明するための模式図である。
【図１２】本発明の実施形態３に係る携帯電話機の外観構成を模式的に示した正面図である。
【図１３】本発明の実施形態３に係る携帯電話機の内部構成を模式的に示したブロック図である。
【図１４】本発明の実施形態３に係る携帯電話機の非上下反転時の（Ａ）外観態様、及び（Ｂ）内部処理を説明するための模式図である。
【図１５】本発明の実施形態３に係る携帯電話機の上下反転時の（Ａ）外観態様、及び（Ｂ）内部処理を説明するための模式図である。
【符号の説明】
【００６０】
１  携帯電話機
２  上部筐体
３  下部筐体
４  連結部（ヒンジ部）
１１  カメラ部
１２  表示部
１３  操作部
１４  画像処理部
１５  表示処理部
１６  通信処理部
１７  アンテナ部
１８  制御部
２１  カメラ方向検出部
２２  重力方向検出部
３１  マイク部
３２  第１のスピーカ部
３３  第２のスピーカ部
３４  音声処理部
４１  第１のマイク部
４２  第２のマイク部
４３  第１のスピーカ部
４４  第２のスピーカ部
４５  音声処理部
【図１】
2006197404.tif 000003
【図２】
2006197404.tif 000004
【図３】
2006197404.tif 000005
【図４】
2006197404.tif 000006
【図５】
2006197404.tif 000007
【図６】
2006197404.tif 000008
【図７】
2006197404.tif 000009
【図８】
2006197404.tif 000010
【図９】
2006197404.tif 000011
【図１０】
2006197404.tif 000012
【図１１】
2006197404.tif 000013
【図１２】
2006197404.tif 000014
【図１３】
2006197404.tif 000015
【図１４】
2006197404.tif 000016
【図１５】
2006197404.tif 000017